(57)【特許請求の範囲】
【請求項１】
害虫防除用噴霧器の噴口部に対して一直線上に接続される筒状形態の本体部を有し、該本体部に格納され伸縮自在に出入するロングノズル部を備え、前記ロングノズル部は、細管からなる軸部を有し、該軸部が一端に前記本体部内を滑動するフランジ部と、他端且つ前記本体部の外方に設けられる噴出部と、を有し、前記噴霧器の前記噴口部からのガス及び薬剤の噴射時の噴射力により前記ロングノズル部の前記フランジ部が押し出されることによって、前記ロングノズル部が前記本体部から噴射方向に突出することを特徴とする害虫防除用噴霧器のロングノズル。
【請求項２】
前記ロングノズル部は噴射後に前記本体部に格納されることを特徴とする請求項１記載の害虫防除用噴霧器のロングノズル。
【請求項３】
前記本体部には前記ロングノズル部を任意の位置に固定するストッパ機構を備えたことを特徴とする請求項１又は２記載の害虫防除用噴霧器のロングノズル。
【発明の詳細な説明】
【０００１】
【発明の属する技術分野】
本発明は、主として殺虫剤等の組成物を噴射する害虫防除用噴霧器のロングノズルに関するもので、特に噴射力により突出する伸縮自在なロングノズルの構成に関する。
【０００２】
【従来の技術】
従来、害虫防除用噴霧器のロングノズルにはスプリング状のもの、折りたためるもの、伸縮自在なもの等、種々のものが知られている。例えばごきぶりの駆除手段として用いられているものは、ごきぶり等が潜んでいる狭い隙間等にロングノズルの先端を差し入れて殺虫剤を噴霧するように構成されていた。特に、従来の伸縮自在のロングノズルは実公昭６２−２３５６１号公報に示されるように、２重管構造のロングノズルの内管又は外管を引き出し、使用目的に応じて長さを調節して使用するように構成されていた。
【０００３】
【発明が解決しようとする課題】
上述した従来の伸縮自在のロングノズルは、使用場面に応じてロングノズルを伸ばしたり縮めたりして使用するには便利であるが、ごきぶり等に直接噴霧するにはロングノズルの長さ調節や、ロングノズルの先端をごきぶり等に接近させるために時間がかかり、気配を察知して逃げられてしまうということがあった。
本発明は、上記事情に鑑みてなされたもので、その目的とするところは、ごきぶり等を見付けて噴霧器を噴射することにより、ロングノズル部が飛び出してごきぶりに直接的に薬剤を噴射する害虫防除用噴霧器のロングノズルを提供しようとするものである。
【０００４】
【課題を解決するための手段】
上記目的を達成するため、本発明に係る害虫防除用噴霧器のロングノズルは、害虫防除用噴霧器の噴口部に対して一直線上に接続される筒状形態の本体部を有し、該本体部に格納され伸縮自在に出入するロングノズル部を備え、前記ロングノズル部は、細管からなる軸部を有し、該軸部が一端に前記本体部内を滑動するフランジ部と、他端且つ前記本体部の外方に設けられる噴出部と、を有し、前記噴霧器の前記噴口部からのガス及び薬剤の噴射時の噴射力により前記ロングノズル部の前記フランジ部が押し出されることによって、前記ロングノズル部が前記本体部から噴射方向に突出することを特徴とするものである。
前記ロングノズル部は噴射後には前記本体部に格納され、また前記本体部には前記ロングノズル部を任意の位置で固定するストッパ機構を備えたことを特徴とするものである。
【０００５】
上記構成による本発明の害虫防除用噴霧器のロングノズルは、ごきぶり等に直接噴霧する場合に、ごきぶり等に察知されることなく予め狙いを定めて噴霧することにより、噴射の勢いでノズルが伸びて突出し、ノズルの先端が対象害虫であるごきぶりに接近するため命中率が高まる特長がある。また、隙間等に噴霧する接合は予めノズルを本体部より引き出し、通常のロングノズルとして使用することができる。さらに、噴射後にはロングノズル部を本体部内に戻すこともでき、ストッパ機構によりロングノズル部を任意の位置で固定することもできる。
【０００６】
【発明の実施の形態】
以下、本発明の実施の形態を図面を参照して詳細に説明する。
図１は害虫防除用噴霧器のロングノズルを示す断面図、図４は害虫防除用噴霧器の噴口部の断面図である。
図１において、害虫防除用噴霧器のロングノズル１ａは、本体部２ａとロングノズル部３ａとにより構成されている。本体部２ａは合成樹脂による筒状形態のシリンダ４で、一端には後述する噴口部５への接続部６が設けてある。接続部６は円筒で、外周にはＬ字状に形成された切込部７が直径方向に２つ宛設けてあって、接続部６を噴口部５に差し込み時計方向に回わすことによりロックされる構成になっている。この接続部６の中央奥側には小孔８が穿設してあって、前記本体部２ａの内側に導通されている。なお、接続部６のロック構造は、螺合又はむりばめでも良い。
【０００７】
本体部２ａのシリンダ４は内径が一定の円筒で、先端には後述するロングノズル部３ａの軸部９を挿通する挿通孔１０が設けてある。
ロングノズル部３ａは合成樹脂製の細管からなる軸部９と、この軸部９の一端に設けられシリンダ４内を滑動する円板状のフランジ部１４とフランジ部１４の他端でシリンダ４の外方に取り付けられる噴出部１５とより構成されている。この噴出部１５は先端に内方に凹となる段差を有している。
このロングノズル部３ａは本体部２ａの長さより僅かに長く、噴出部１５を図１の右側より押圧することによりフランジ部１４はシリンダ４内を滑動し、ロングノズル部３ａの軸部９はシリンダ４内に格納されるようになっている。
【０００８】
なお、図２に示されるように、ロングノズル部３ａの本体部２ａ内への格納については、図１のロングノズル部３ａの軸部９の外周に細いコイルスプリング１７を設け、前記フランジ部１４とシリンダ４の先端の挿通孔１０との間に架設し、フランジ部１４を図１の左側に付勢しておくことにより容易に自動的に行うことができる。
【０００９】
さらに、図３に示されるように、挿通孔１０の近傍でシリンダ４の外周上にボス部１１を設け、このボス部１１にロングノズル部３ａの軸部９に係合するストッパ機構１２のネジ１３を螺着することにより、ロングノズル部３ａを任意に位置に固定するようにしても良い。
【００１０】
図１乃至図３に示したロングノズル１ａ、１ｂ、１ｃが接続される噴口部５は、図４に示されるように、噴霧器１８の頭部に設けてある押釦１９の一側方に接続片２０が突出され、この接続片２０の直径方向の外周には係止ピン２１が設けられている。そして、この押釦１９を上部より押圧することにより接続片２０の中心より薬剤を噴霧することができる構成になっている。
【００１１】
図１に示した構成のロングノズル１ａにおいて、本体部２ａの接続部６を噴口部５に取り付け、接続片２０の係止ピン２１に本体部２ａの切込部７を係合して係止させておき噴霧器１８の押釦１９を押圧すると、噴霧器１８内のガスと薬剤は本体部２ａ内に入り、ロングノズル部３ａのフランジ部１４を押し出し、且つ軸部９内の管内を伝わって噴出部１５の噴出孔１６より薬剤を噴霧する。
【００１２】
また、図２に示した構成のロングノズル１ｂにあっては、ロングノズル部３ａはコイルスプリング１７の付勢に抗して本体部２の先端に突出し、ごきぶり等に接近して薬剤を噴霧することができる。押釦１９の押圧を解除することによりロングノズル部３ａはコイルスプリング１７の付勢で再び本体部２のシリンダ４内に格納される。
【００１３】
また、図３に示した構成のロングノズル１ｃにあっては、単にロングノズル部３ａを予め本体部２より引き出しておき、ストッパ機構１２のネジ１３により軸部９を係止させることにより隙間等に噴霧することも可能である。
【００１４】
なお、以上説明した例では、本体部から伸縮自在に出入りするロングノズル部が一段の場合を示した。しかし、この場合、ロングノズル部を格納する本体部が長くなり、本体部を噴射器に接続した場合、ロングノズルが噴射器の外縁から突出し邪魔になる場合がある。そこで、ロングノズルの本体部を噴射器の外縁から突出しない長さとし、本体部に格納されるロングノズル部を多段構成若しくは蛇腹構成としても良い。
【００１５】
図５は、本体部２ｂに４段構成のロングノズル部３ｂが格納されるロングノズル１ｄを示している。この場合、非噴射時は、図５（ａ）に示されるように、ロングノズル部３ｂが、噴射器１８の外縁より突出しない長さの本体部２ｂに格納されるため、周囲の邪魔になることがない。そして、噴射時には、図５（ｂ）に示されるように、噴射力により４段のロングノズル部３ｂが順次本体部２ｂから突出する。
なお、図５に示したロングノズル１ｄにあっても、ロングノズル部３ｂを任意の位置で固定するストッパ機構を設け、ロングノズル部３ｂが本体部２ｂに格納された状態で殺虫剤を噴霧するようにしても良い。
【００１６】
また、図６に示されるように、噴射器１８の外縁より突出しない長さの本体部２ｃに蛇腹構成のロングノズル部３ｃを格納し、ロングノズル部３ｃが噴射力により伸びた後、元の状態に復元するようにしても良い。ロングノズル部を蛇腹構成とすることにより、簡易構成で非噴射時に本体部２ｃに格納されるロングノズル１ｅを提供することができる。
【００１７】
さらに、ロングノズル部を、図２及び図３に示したように、本体部２ａ内に設けられたコイルスプリング１７により伸縮させる構造の他、図７に示すように、本体部２ａ外に巻回されたコイルスプリング１７により伸縮させるようにしても良い。
【００１８】
さらに、図８に示されるように、本体部２ａとロングノズル部３ａとを、樹脂製の中空チューブ２２で連結し、中空チューブの弾性力によりロングノズル部３ａを伸縮させるようにしても良い。殺虫剤は、軸部９の細管を通るとともに、中空チューブ２２を通って噴射する。なお、中空チューブ２２をスパイラル形状としても良い。
【００１９】
【発明の効果】
以上詳細に説明したように、本発明に係る害虫防除用噴霧器のロングノズルは、薬剤を噴霧するときにロングノズル部が飛び出すのでごきぶり等への命中率も高く、薬剤の噴霧を停止した時にロングノズル部が本体内に格納されるので、薬剤等が人の手に付着することはなく極めて衛生的に好ましい特長がある。また、ストッパ機構によりロングノズル部の長さを調節し固定できるので、隙間等に通常噴霧を行なうことも可能である。
【図面の簡単な説明】
【図１】本発明の第１の実施例の害虫防除用噴霧器のロングノズルの断面図である。
【図２】本発明の第２の実施例のロングノズルの断面図である。
【図３】  本発明の第３の実施例のロングノズルの断面図である。
【図４】  ロングノズルを取り付ける噴口部の断面図である。
【図５】  本発明の第４の実施例のロングノズルの断面図である。
【図６】  本発明の第５の実施例のロングノズルの断面図である。
【図７】  本発明の第６の実施例のロングノズルの断面図である。
【図８】  本発明の第７の実施例のロングノズルの断面図である。
【符号の説明】
１ａ、１ｂ、１ｃ、１ｄ、１ｅ  ロングノズル
２ａ、２ｂ、２ｃ  本体部
３ａ、３ｂ、３ｃ  ロングノズル部
５  噴口部
１２  ストッパ機構
１８  害虫防除用噴霧器
【図１】
0003807798.tif 000002
【図２】
0003807798.tif 000003
【図３】
0003807798.tif 000004
【図４】
0003807798.tif 000005
【図５】
0003807798.tif 000006
【図６】
0003807798.tif 000007
【図７】
0003807798.tif 000008
【図８】
0003807798.tif 000009